(57)【要約】      （修正有）【課題】本考案は、立って乗るストレッチ機能と座って足裏のマッサージ機能を一体化させることでより多様な健康増進要求を満足させるフットローラーストレッチャーを提供する。【解決手段】本考案は、概楔形構造体おいて、１５度±５度程度の範囲で傾斜する踏み板２に平行かつ高くなるようにした側板３もしくは側脚部７に、ガイド長穴４もしくはマッサージ棒ガイド８を設置し、対応するガイド溝６を有した木製又は金属製などのマッサージ棒５を１本ないしは複数本を貫通せしめ、マッサージ棒５が低い位置にあれば踵押さえとなり立ってストレッチしやすくし、椅子に座って足裏を乗せて転がせば足裏マッサージが出来るようにする。【選択図】図１
0003123647.tif 000002
【実用新案登録請求の範囲】
【請求項１】
足を乗せるとつま先が上がるストレッチ効果を有する概楔形構造体において、傾斜する踏み板に平行かつ高くなるようにした側板もしくは側脚部にガイド長穴もしくはマッサージ棒ガイドを設置し、脱落防止のガイド溝を有する木製又は金属製などのマッサージ棒１本ないしは複数本を貫通せしめ、丸棒が低い位置にあれば踵押さえとなり立ってストレッチを、椅子に座って足裏を乗せて転がせば足裏マッサージ効果を得られようにしてなるフットローラーストレッチャー。
【請求項２】
側板のガイド長穴の高位の端部にマッサージ棒を落とし込む切り欠き部を有し、これにマッサージ棒を落とし込み、角度可変でしかも指穴を設けた踏み板を持ち上げ載せることで、又は切り欠き部手前に丸棒を挟むことで傾斜角度を変えられるようにしてなる請求項１記載のフットローラーストレッチャー。
【考案の詳細な説明】
【技術分野】
【０００１】  本考案は、傾斜を応用した足腰背のストレッチ及び矯正、足裏マッサージなと健康器具に関するものである。
【背景技術】
【０００２】  従来、概楔形構造体を用いたストレッチ器具にはいくつもの考案があったが、単純に単一の傾斜のもの、あるいは角度を変えられるもの、踏み板に突起を設けたものなどである。これらは傾斜のある踏み板に立って乗ることによりアキレス腱のストレッチ、ひいては体全体の筋肉や腱のバランスを回復矯正するのが主な目的であった。
【考案の開示】
【考案が解決しようとする課題】
【０００３】  従来の概楔形構造体を用いたストレッチ器具は基本的に立って乗ることを主眼にしているために、椅子に座ってアキレス腱のストレッチや足裏のマッサージ等に使用することは出来なかった。従って、立って乗るストレッチ機能と座って足裏のマッサージ機能を一体化させることでより多様な健康増進要求を満足させることが可能となり、前述の欠点を解決しようとするものである。
【課題を解決するための手段】
【０００４】  本考案は、請求項１に関して言えば、概楔形構造体おいて、１５度±５度程度の範囲で傾斜する踏み板に平行かつ高くなるようにした側板もしくは側脚部に、ガイド長穴もしくはマッサージ棒ガイドを設置し、対応するガイド溝を有した木製又は金属製などのマッサージ棒１本ないしは複数本を貫通せしめ、マッサージ棒が低い位置にあれば踵押さえとなり立ってストレッチしやすくし、椅子に座って足裏を乗せて転がせば足裏マッサージが出来るようにして問題を解決している。【０００５】  請求項２に関して言えば、側板のガイド長穴の高位の端部にマッサージ棒を落とし込む切り欠き部を設け、これにマッサージ棒を落とし込み、５度から２０度の範囲で角度が可変でしかも扱いやすいように指穴を設けた踏み板を持ち上げ載せることで、又は切り欠き部手前にマッサージ棒を挟めば更に角度が高くなり強いストレッチ効果が得られるようにして問題を解決している。【０００６】  いずれにしても、概楔形構造体は木製、あるいは金属及び金属パイプ、樹脂でも構わないが、感触や温もりの優しさから言えば踏み板は木製が望ましい。金属パイプなどで側脚部を構成する場合は踏み板にマッサージ棒のガイド溝に対応するガイドレールを設ける。又、マッサージ棒の素材も同様の理由で木製が望ましいが、金属性のものを使用すれば、ＯＡ機器操作をする場合に体内の静電気の除去に効果があるので望ましい。これらのマッサージ棒には側板のガイド長穴もしくはパイプ製のマッサージ棒ガイドから脱落防止のためにガイド溝を設ける。更にマッサージ棒は金属ならばパイプでも良いが、重量感を味わいたい場合は金属丸棒を用いても良い。これらマッサージ棒の直径は好みの寸法を選べるが、１５ｍｍから最大で５０ｍｍ程度とするのが好ましい。異なる直径のものを組み合わせても良い。マッサージ棒の表面は回転できれば、丸以外にも多角形あるいは棒に段差のある凹凸を設けても良い。もっと言えば、踏み板及びマッサージ棒に遠赤外線効果のある塗装やフィルムなどを張っても良いし、突起を設けても良い。
【考案の効果】
【０００７】  上述のように本考案のフットローラーストレッチャーは、請求項１に関して言えば、楔形構造体にマッサージ棒が脱落せずに回転できる構造が一体化したので、通常のストレッチ機能つまりアキレス腱や膝裏の伸長などに加え座っても足裏をマッサージできるという複合的効果を有する。又、金属製の丸棒を使用すれば静電気の除去効果も有する。【０００８】  請求項２に関して言えば、踏み板の角度が可変となり、多様なニーズに対応できる効果が加わる。
【考案を実施するための最良の形態】
【０００９】  請求項１に関して言えば、概楔形構造体の踏み板と側板が木製の場合、これらは接着剤と木ネジを併用して固定される。側板にはマッサージ棒を貫通せしめるガイド長穴があらかじめ設けられ、左右の側板同士は複数の角材などで平行に固定することにより踏み板を支えることが出来る。【００１０】  パイプを使用する側脚部の場合は、側脚部相互をパイプで溶接するなどして踏み板を支え、ボルトなどで固定される。側脚部はマッサージ棒ガイドを兼ねる。踏み板にはマッサージ棒のガイド溝に対応するガイドレールを設けることにより丸棒の脱落を防止できる。マッサージ棒にはいずれもそれぞれのガイドに応じたガイド溝を設ける。【００１１】請求項２に関して言えば、概楔形構造体は木製の枠で、傾斜した枠の中に踏み板が一定の角度範囲で回動するように収められる。前後にある枠板で、低いほうの枠板には内側に踏み板の厚さより大き目のスリットがあるので、これに挿入することで踏み板に一定角度の回動を可能にする。傾斜した側枠には、マッサージ棒を貫通せしめるガイド長穴および半円形の切り欠きが所定の位置にあらかじめ設けてあるのでマッサージ棒の回転移動及び固定を可能にする。左右の側枠は内部で踏み板支持材により接続されるので回動する踏み板が乗ると所定の角度をつけることが可能となる。踏み板には一端が下向きにＬ字型をなすので枠から脱落を防止することができる。又、踏み板の先端近くには指穴を設けることにより角度操作が容易となる。
【実施例】
【００１２】  以下、添付図面に従って実施例を説明する。図１に関して言えば、１はフットローラーストレッチャーの全体を示す。２は踏み板、３は側板でいずれもブナ材など硬質な木材もしくは集成材を用いる。左右の側板同士は複数の角材などで平行に固定することにより踏み板を支えることが出来るよう木ネジ及び接着剤で固定する。４は５のマッサージ棒を案内し更には脱落防止も兼ねるガイド長穴。５はやはり木製のマッサージ棒で両端近くに構造体は硬質の木材、例えばブナ材を用いる。６はマッサージ棒に設けられるガイド溝である。【００１３】  図２に関して言えば、１はフットローラーストレッチャー全体を示す。２は木製の踏み板、５はマッサージ丸棒、６はマッサージ棒のガイド溝。７は金属パイプの側脚部、８は側脚部の上部をなすマッサージ棒ガイド。９は踏み板の左右端部に設置されるガイドレール。１３は金属パイプ製の踏み板支持部。【００１４】  図３に関して言えば、１はフットローラーストレッチャーの全体を示す。２は１２の指穴を有した木製の踏み板。３は４のガイド長穴を有した木製の側板。５はマッサージ丸棒、６はガイド溝である。１１は４のガイド長穴に設けられたマッサージ棒を落とし込むための半円形の切り欠き部。１０は踏み板の一端を保持し回動させるためのスリット。１３は踏み板支持部。
【産業上の利用可能性】
【００１５】  本考案は以上のように構成されるので、従来一般に認知されている傾斜を利用したストレッチャーの改良発展型として有用である。
【図面の簡単な説明】
【００１６】
【図１】本考案のフットローラーストレッチャーで、請求項１の実施例（木製）を示す斜視図である。
【図２】本考案のフットローラーストレッチャーで、請求項１の実施例（パイプ製）を示す斜視図である。
【図３】本考案のフットローラーストレッチャーで、請求項２の実施例を示す斜視図である。
【符号の説明】
【００１７】  １  フットローラーストレッチャー
２  踏み板
３  側板
４  ガイド長穴
５  マッサージ棒
６  ガイド溝
７  側脚部
８  マッサージ棒ガイド
９  ガイドレール
１０  スリット
１１  切り欠き部
１２  指穴
１３  踏み板支持部
【図１】
0003123647.tif 000003
【図２】
0003123647.tif 000004
【図３】
0003123647.tif 000005